(57)【要約】【課題】レーダー波を反射する可撓性ブイを実現し提供すること【解決手段】可撓性を有するブイ本体の外周にレーダー波を反射する部材を装備してなる可撓性ブイ。【選択図】図１
2006273068.tif 000002
【特許請求の範囲】
【請求項１】
可撓性を有するブイ本体の外周にレーダー波を反射する部材を装備してなることを特徴とする可撓性ブイ。
【請求項２】
ブイ本体が、繊維で補強されたゴム膜からなる密閉された袋体に空気が充填されたものであることを特徴とする請求項１記載の可撓性ブイ。
【請求項３】
レーダー波を反射する部材が、ブイ本体の外周に網状に構成されて存在する構造体であることを特徴とする請求項１または２記載の可撓性ブイ。
【請求項４】
可撓性を有するブイ本体の外周に網状に構成されて存在する構造体が付設されていて、かつ、レーダー波を反射する部材として、金属粉、金属箔あるいは金属繊維からなる微細金属材を混入した可撓性材料からなる筒状成形体が、前記網状に構成されて存在する構造体に付設されてなることを特徴とする請求項１または２記載の可撓性ブイ。
【請求項５】
網状に構成されて存在する構造体が、チェーン状構造物から構成されてなることを特徴とする請求項３または４記載の可撓性ブイ。
【請求項６】
網状に構成されて存在する構造体が、ワイヤロープ状構造物から構成されてなることを特徴とする請求項３または４記載の可撓性ブイ。
【発明の詳細な説明】
【技術分野】
【０００１】
本発明は、海上などにおいて使用されるブイに関し、更に詳しくは、特にレーダー波を反射するように構成されている可撓性ブイに関する。
【背景技術】
【０００２】
従来、沖合い石油掘削リグ用の係留索の付設、取り外し工事等においては、作業船が中間部に鋼製やプラスチック製ブイ等の固体型ブイを取り付けて、係留索の一時的な保持を実施していた。
【０００３】
しかしながら、固体型ブイでは、作業船上で大きな輸送スペースを必要とし、そのため、作業船が一度に輸送できる固体型ブイの数には限度があり、敷設、取り外しのためには、作業船が何度も沖合と陸上間を往復する必要があった。そのため、固体型でないゴム製あるいはプラスチック製の可撓性ブイの実現が要請されていた。
【０００４】
一方、鋼製ブイでは船舶レーダーによってその存在の確認ができるのに対して、ゴム製やプラスチック製のブイでは船舶レーダーでの反応が取れず、夜間の存在視認性については、航行船舶の灯火が到達できる距離にまで近づかないと視認が全くできないという欠点を有していた。
【０００５】
特許文献として示される先行技術としては、電波反射機能を備えた本体とパラシュートとから構成されるソノブイについての提案がされている（特許文献１）。
【０００６】
また、所在位置表示用浮揚体のレーダ電波に対する反射率を向上させて、この浮揚体を浮揚させたダイバーや遭難者などをレーダによって容易に発見しうるようにするために、空気より軽いガスを充填したときにその外面がほぼ平面の組合わせとなるように、レーダ電波を反射するとともに気密性を有する部材を組合わせて所在位置表示用浮揚体に浮力を与えるための浮揚体本体を構成した、または、空気より軽いガスを充填して浮揚させる所在位置表示用浮揚体において、この所在位置表示用浮揚体に浮力を与えるための浮揚体本体の外部に、レーダ電波を反射する平面的な反射板を付設したという所在位置表示用浮揚体についての提案がされている（特許文献２）。
【０００７】
また、リフレクタの交換が可能で、種々の有効反射面積のリフレクタの取付けや折り畳みができる収納性の良いレーダ用リフレクタ浮標を提供することを目的に、 平面部及び平面部にほぼ直交する立設部からなる可撓性のフロートと、中空の立設部及び中空立設部に取付けた電波反射面からなる可撓性のリフレクタとを備え、リフレクタの中空立設部をフロートの立設部に嵌合させて、リフレクタをフロートに着脱自在に固定したという提案がされている（特許文献３）。
【０００８】
また、ゴムなどの可撓性材料で形成された中空浮体膜に圧縮空気を封入したという空気式ゴム製ブイについての提案がされている（特許文献４）。
【０００９】
しかし、いずれの提案も、レーダー波を反射する可撓性ブイを実現したものではなかった。
【特許文献１】特開平５−３１０１８４号公報
【特許文献２】特開２００２−２００１８４号公報
【特許文献３】特開２００２−２４０７７６号公報
【特許文献４】実公昭５３−３７４３１号公報
【発明の開示】
【発明が解決しようとする課題】
【００１０】
本発明の目的は上述したような点に鑑み、レーダー波を反射し、かつ、可撓性を有するブイを提供することにある。
【課題を解決するための手段】
【００１１】
上述した目的を達成する本発明のブイは、以下の(1) の構成からなる。
（１）可撓性を有するブイ本体の外周にレーダー波を反射する部材を装備してなることを特徴とする可撓性ブイ。
【００１２】
また、かかる本発明の可撓性ブイにおいて、好ましくは、以下の(2) 〜(6) の構成からなる。
（２）ブイ本体が、繊維で補強されたゴム膜からなる密閉された袋体に空気が充填されたものであることを特徴とする上記(1) 記載の可撓性ブイ。
（３）レーダー波を反射する部材が、ブイ本体の外周に網状に構成されて存在する構造体であることを特徴とする上記(1) または(2) 記載の可撓性ブイ。
（４）可撓性を有するブイ本体の外周に網状に構成されて存在する構造体が付設されていて、かつ、レーダー波を反射する部材として、金属粉、金属箔あるいは金属繊維からなる微細金属材を混入した可撓性材料からなる筒状成形体が、前記網状に構成されて存在する構造体に付設されてなることを特徴とする上記(1) または(2) 記載の可撓性ブイ。
（５）網状に構成されて存在する構造体が、チェーン状構造物から構成されてなることを特徴とする上記(3) または(4) 記載の可撓性ブイ。
（６）網状に構成されて存在する構造体が、ワイヤロープ状構造物から構成されてなることを特徴とする上記(3) または(4) 記載の可撓性ブイ。
【発明の効果】
【００１３】
本発明によれば、レーダー波を反射しかつ可撓性を有するブイが提供され、夜間の視認性をレーダーにて得られ、また保管や輸送にも好都合なブイが提供されるものである。
【発明を実施するための最良の形態】
【００１４】
以下、図面を用いて更に詳しく本発明の可撓性ブイについて、説明する。
【００１５】
図１は、本発明の可撓性ブイの１実施態様例を示した概略モデル正面図であり、本発明の可撓性ブイ１は、可撓性を有するブイ本体２の外周にレーダー波を反射する部材を装備してなることを特徴とする。
【００１６】
本発明において、可撓性を有するブイ本体２は、繊維で補強されたゴム膜からなる密閉された袋体に空気が充填されたものであることが好ましい。
【００１７】
本発明において可撓性のブイ本体（可撓性ブイ）とは、ブイ本体の外形が、例えば耐圧性のあるステンレススチールで頑強・頑丈に製造されていることなどによって全く形態変化をすることがないというわけではなく、上述した如くに、繊維等で補強した可撓性を有する膜材などから基本的になっていて、外力によって、外形の変化が多少起こるものであることをいう。特に、所期の形状への復元性があって、折り畳むことやそれを元に戻すこと、凹みの復元などが簡単に可能であることが、該可撓性を有することの利点なものである。
【００１８】
レーダー波を反射する部材は、可撓性を有するブイ本体２の外周に網状に構成されて存在する構造体であることが好ましい。その場合、具体的には、該レーダー波を反射する部材は、チェーン状構造物３あるいはロープ状構造物からなるものが好ましく、その場合、チェーン状構造物３あるいはロープ状構造物を、金属質のもので形成するのが重要なことである。例えば、金属製の鎖状物やワイヤローブなどを使用することが重要である。
【００１９】
あるいは、そのような網状に構成されて存在する構造体自体がレーダー波を反射する部材でなくてもよく、例えば、金属粉、金属箔あるいは金属繊維からなる微細金属材を混入した可撓性材料からなる筒状成形体４が、網状に構成された構造体に付設されていて、該筒状成形体４がレーダー波を反射する部材で構成してもよいものである。
【００２０】
すなわち、図１では、可撓性を有するブイ本体２の外周に網状に構成されて存在する構造体として、チェーン状構造物３を図示し、さらに、網状に構成された構造体に付設される筒状成形体４を図示しているが、そのような構成の場合、チェーン状構造物３あるいは筒状成形体４のいずれか一つ、あるいは双方を上述のようにしてレーダー波を反射する部材とするこことができる。
【００２１】
あるいは、可撓性を有するブイ本体２を構成する繊維で補強されたゴム膜自体に、例えば、金属粉、金属箔あるいは金属繊維からなる微細金属材を混入して、本発明のブイを構成してもよく、本発明における「ブイ本体の外周にレーダー波を反射する部材を装備してなるブイ」とは、そのようなブイ本体を構成する材料自体にレーダー波を反射する性質を有する材料を使用する場合なども含むものである。また、さらにあるいは、可撓性を有するブイ本体２を、上記したような微細金属材を混入したゴム膜の層で被覆して、レーダー波反射カバーゴム層を特に設けて構成してもよいものである。
【００２２】
本発明にかかる可撓性ブイは、本来、可撓性のある膜材などで構成されているものであり、内部の空気を抜けば、ブイ本体は折り畳むことができ、保管・運搬がしやすく、また保管・運搬中における耐衝撃性、耐外傷性などでも良好なものである。
【００２３】
従って、コンパクトに折り畳んだ状態で保管・輸送ができるので、船舶輸送や航空機輸送などにも好都合である。そして、その折り畳んだ状態や、凹んだ状態からの復元も簡単なものである。
【図面の簡単な説明】
【００２４】
【図１】図１は、本発明の可撓性ブイの１実施態様例を示した概略モデル正面図である。
【符号の説明】
【００２５】
１：可撓性ブイ
２：ブイ本体
３：チェーン状構造物
４：筒状成形体
【図１】
2006273068.tif 000003